(57)【特許請求の範囲】
【請求項１】
床上に静止されように構成されたベースフレームであって、使用時において前記床の平面と一致するベースフレーム面を形成する、ベースフレームと、
乳幼児または子供を支えるように配置された支持表面を有する支持部と、
を備え、
前記支持部が、軸受けによって前記ベースフレームと回転可能にかつ偏心して連結され、前記支持部が、前記ベースフレームと偏心する回転軸回りで前記ベースフレームに対して揺動し、
前記回転軸と前記ベースフレーム面とが、相互に垂直でなく、
前記支持部が、最高位部から最低位部まで延在する最低位面を有し、
前記軸受けが、前記支持部の最低位面の前記最低位部の近傍で前記支持部と連結されており、
前記支持部が、前記回転軸の下方にある重心を有し、重心の影響を受けて、前記支持部が、前記ベースフレームと重なる関係で、往復する様式で揺動することを特徴とする揺り椅子。
【請求項２】
前記軸受けが、前記ベースフレームの水平縁部の近傍で前記ベースフレームと連結され、前記軸受けの前記軸が、上向き方向に前記ベースフレームの中心を通る垂直軸に向かって傾斜されていることを特徴とする、請求項１に記載の揺り椅子。
【請求項３】
中立位置において、前記支持部が、前記軸受けから上向き方向に前記ベースフレームの中心を通る垂直軸に向かって全体的に傾斜されていることを特徴とする、請求項１に記載の揺り椅子。
【請求項４】
前記支持表面が、ほぼシェル形状であることを特徴とする、請求項１に記載の揺り椅子。
【請求項５】
前記支持部が、ほぼシェル形状であることを特徴とする、請求項１に記載の揺り椅子。
【請求項６】
前記軸受けが、
一方の端部が前記ベースフレームおよび前記支持部の一方に連結され、その他方の端部が開放されているチューブと、
一方の端部が前記ベースフレームおよび前記支持部の他方に連結されたシャフトと、から構成され、
該シャフトが、前記チューブ内に回転可能に装着されていることを特徴とする、請求項１に記載の揺り椅子。
【請求項７】
前記シャフトが、軸方向に前記チューブから外れるように移動可能であり、それにより、前記支持部を前記ベースフレームから取り外すことができることを特徴とする、請求項６に記載の揺り椅子。
【請求項８】
床上に静止されように構成されたベースフレームであって、使用時において前記床の平面と一致するベースフレーム面を形成する、ベースフレームと、
乳幼児または子供を支えるように配置された支持表面を有する支持部と、
を備え、
前記支持部が、軸受けによって前記ベースフレームと回転可能にかつ偏心して連結され、前記支持部が、前記ベースフレームと偏心する回転軸回りで前記ベースフレームに対して揺動し、
前記回転軸と前記ベースフレーム面とが、相互に垂直でなく、
前記支持部が、高位部から低位部まで延在する一部品であり、
前記軸受けが、前記支持部の低位面の前記低位部の近傍で前記支持部と直接連結されており、前記回転軸が、前記支持表面の前記低位部の近傍を通過し、
前記支持部が、前記回転軸の下方にある重心を有し、重心の影響を受けて、前記支持部が、前記ベースフレームと重なる関係で、往復する様式で揺動することを特徴とする揺り椅子。
【請求項９】
前記軸受けが、前記ベースフレームの水平縁部に近接して前記ベースフレームに連結され、前記軸受けの前記軸が、上向き方向に前記ベースフレームの中心を通る垂直軸に向かって傾斜されていることを特徴とする、請求項８に記載の揺り椅子。
【請求項１０】
中立位置において、前記支持部が、前記軸受けから上向き方向に前記ベースフレームの中心を通る垂直軸に向かって全体的に傾斜されていることを特徴とする、請求項８に記載の揺り椅子。
【請求項１１】
前記支持表面が、ほぼシェル形状であることを特徴とする、請求項８に記載の揺り椅子。
【請求項１２】
前記支持部が、ほぼシェル形状であることを特徴とする、請求項８に記載の揺り椅子。
【請求項１３】
前記軸受けが、
一方の端部が前記ベースフレームおよび前記支持部の一方に連結され、その他方の端部が開放されているチューブと、
一方の端部が前記ベースフレームおよび前記支持部の他方に連結されたシャフトと、から構成され、
該シャフトが、前記チューブ内に回転可能に装着されていることを特徴とする、請求項８に記載の揺り椅子。
【請求項１４】
前記シャフトが、軸方向に前記チューブから外れるように移動可能であり、それにより、前記支持部を前記ベースフレームから取り外すことができることを特徴とする、請求項１３に記載の揺り椅子。
【請求項１５】
床上に静止されように構成されたベースフレームであって、使用時において前記床の平面と一致するベースフレーム面を形成する、ベースフレームと、
乳幼児または子供を支えるように配置された支持部と、
を備え、
前記支持部が、軸受けによって前記ベースフレームと回転可能にかつ偏心して連結され、前記支持部が、前記ベースフレームと偏心する回転軸回りで前記ベースフレームに対して揺動し、
前記回転軸と前記ベースフレーム面とが、相互に垂直でなく、
前記支持部が、高位部から低位部まで延在し、
前記軸受けが、前記支持部の前記低位部の近傍で前記支持部との連結部を有し、
前記支持部全体が、前記軸受けの連結部から上方に延在し、
前記支持部が、前記回転軸の下方にある重心を有し、重心の影響を受けて、前記支持部が、前記ベースフレームと重なる関係で、往復する様式で揺動することを特徴とする揺り椅子。
【請求項１６】
前記軸受けが、前記ベースフレームの水平縁部に近接して前記ベースフレームに連結され、前記軸受けの前記軸が、上向き方向に前記ベースフレームの中心を通る垂直軸に向かって傾斜されていることを特徴とする、請求項１５に記載の揺り椅子。
【請求項１７】
中立位置において、前記支持部が、前記軸受けから上向き方向に前記ベースフレームの中心を通る垂直軸に向かって全体的に傾斜されていることを特徴とする、請求項１５に記載の揺り椅子。
【請求項１８】
前記支持部が、支持表面を有し、前記支持表面が、乳幼児または子供を支えるように配置され、ほぼシェル形状であることを特徴とする、請求項１５に記載の揺り椅子。
【請求項１９】
前記支持部が、ほぼシェル形状であることを特徴とする、請求項１５に記載の揺り椅子。
【請求項２０】
前記軸受けが、
一方の端部が前記ベースフレームおよび前記支持部の一方に連結され、その他方の端部が開放されているチューブと、
一方の端部が前記ベースフレームおよび前記支持部の他方に連結されたシャフトと、から構成され、
該シャフトが、前記チューブ内に回転可能に装着されていることを特徴とする、請求項１５に記載の揺り椅子。
【請求項２１】
前記シャフトが、軸方向に前記チューブから外れるように移動可能であり、それにより、前記支持部を前記ベースフレームから取り外すことができることを特徴とする、請求項２０に記載の揺り椅子。
【請求項２２】
床上に静止されように構成されたベースフレームであって、使用時において前記床の平面と一致するベースフレーム面を形成する、ベースフレームと、
乳幼児または子供を支えるように配置された支持表面を有する支持部と、
を備え、
前記支持部が、軸受けの接続部において軸受けによって前記ベースフレームと回転可能にかつ偏心して連結され、前記支持部が、前記ベースフレームと偏心する回転軸回りで前記ベースフレームに対して揺動し、
前記回転軸と前記ベースフレーム面とが、相互に垂直でなく、
前記支持部が、高位部から低位部まで延在する低位面を有し、
前記軸受けが、前記支持部の低位面の前記低位部の近傍で前記支持部と連結されており、
前記支持部が、前記回転軸の下方にありかつ前記ベースフレーム面と平行であり前記軸受けの前記接続部を通過する面の上方にある重心を有し、重心の影響を受けて、前記支持部が、前記ベースフレームと重なる関係で、往復する様式で揺動することを特徴とする揺り椅子。
【請求項２３】
前記軸受けが、前記ベースフレームの水平縁部に近接して前記ベースフレームに連結され、前記軸受けの前記軸が、上向き方向に前記ベースフレームの中心を通る垂直軸に向かって傾斜されていることを特徴とする、請求項２２に記載の揺り椅子。
【請求項２４】
中立位置において、前記支持部が、前記軸受けから上向き方向に前記ベースフレームの中心を通る垂直軸に向かって全体的に傾斜されていることを特徴とする、請求項２２に記載の揺り椅子。
【請求項２５】
前記支持表面が、ほぼシェル形状であることを特徴とする、請求項２２に記載の揺り椅子。
【請求項２６】
前記支持部が、ほぼシェル形状であることを特徴とする、請求項２２に記載の揺り椅子。
【請求項２７】
前記軸受けが、
一方の端部が前記ベースフレームおよび前記支持部の一方に連結され、その他方の端部が開放されているチューブと、
一方の端部が前記ベースフレームおよび前記支持部の他方に連結されたシャフトと、から構成され、
該シャフトが、前記チューブ内に回転可能に装着されていることを特徴とする、請求項２２に記載の揺り椅子。
【請求項２８】
前記シャフトが、軸方向に前記チューブから外れるように移動可能であり、それにより、前記支持部を前記ベースフレームから取り外すことができることを特徴とする、請求項２７に記載の揺り椅子。
【発明の詳細な説明】
【技術分野】
【０００１】
本発明は、床上に載るように配置されたベースフレームと、乳幼児または子供を支えるように構成された支持表面を有する椅子などの支持部とを備える揺り椅子に関し、その支持部は、軸受けによってベースフレームと回転可能に連結されている。
【背景技術】
【０００２】
関連出願の相互参照
本出願は、2007年9月17日出願の米国特許仮出願第60/960,108号の優先権を主張するものである。
【０００３】
揺り椅子は、よく知られており、通常は、水平バーを有するベースフレーム、および前記水平バーから吊り下げられた椅子を備える。この椅子は、最初に押し出されてバランスを失うことにより、揺れる動きで前後に動く。玩具としての使用に加えて、そのような装置は、乳幼児向けにも設計されており、その場合、椅子は揺りかごによって置き換えられる。前後または横方向でもよいこの揺れ動作は、通常、非常に心地よいものとして乳幼児が経験するものであり、それにより、乳幼児は静かになる、および/または静かな状態を維持するようになる。
【発明の開示】
【発明が解決しようとする課題】
【０００４】
本発明は、類似のまたはより良好な効果を有し、場所をとらずに容易に収納できる小型の代替的な揺れ装置を目的とする。
【課題を解決するための手段】
【０００５】
本発明によれば、軸受けの回転軸と、ベースフレームがその上に載るように配置される床の平面部とは、相互に垂直ではない。
【０００６】
好ましくは、支持表面は、子供の頭部または肩部を担持するように構成された高位部から、子供の脚部または足部を担持するように構成された低位部へと延在し、軸受けは、支持表面の低位部の近傍で支持部と連結される。
【０００７】
このようにして、非常に小型の揺り椅子が得られ、この椅子は横方向に揺れる。この設計には、側面から見てほぼV字形状であるフレーム/椅子の組合せの弾性特性によって引き起こされる、上下のロッキング動作を示すこともできるというさらなる効果もあり得る。
【０００８】
軸受けの回転軸と、ベースフレームがその上に載るように配置される床の平面部とが相互に垂直ではないという特徴は、軸受けの回転軸と、ベースフレームがその上に載るように配置される床の平面部との角度(図3の角度α)が、90°より小さく、好ましくは、前記角度は30と89°の間であることを意味する。
【０００９】
好ましい実施形態では、支持部は、できるだけ摩擦がない状態で、例えばボール軸受けを利用してベースフレームと自由に回転可能に連結される。1つの代替的な実施形態では、椅子はまた、揺れる動きで椅子を連続的に動かすための電動作動装置を含むこともできる。
【００１０】
好ましい実施形態では、軸受けが、ベースフレームの水平縁部の近傍でベースフレームに連結され、軸受けの軸は、上向き方向にベースフレームの中心を通る垂直軸に向かって傾斜される。その中立位置では、支持部もまた、軸受けから上向き方向にベースフレームの中心を通る垂直軸に向かって全体的に傾斜される。しかし、揺れ効果を得るには、支持部は、(支持表面が子供より下方にある間)子供を載せた支持部の重力の中心が軸受けの回転軸よりも下方になるように設計されねばならない。
【００１１】
ベースフレームは、例えば、ほぼ矩形、楕円形、Y字形状、V字形状、正方形、またはリング形状のものでよい。
【００１２】
軸受けが連結される支持表面の低位部と、ベースフレームがその上に載るように配置される床の平面部との距離は、30cm未満であることが好ましく、より好ましくは20cm未満である。
【００１３】
支持部およびその支持表面は共に、ほぼシェル形状であることが好ましい。
【００１４】
支持部は、支持表面上の所定の位置に子供を保持するためのハーネスまたは緩衝バーを備えることが好ましい。
【００１５】
軸受けは、一方の端部がベースフレームおよび支持部の一方に連結され、その他方の端部が開放されているチューブと、一方の端部がベースフレームおよび支持部の他方に連結されたシャフトとから構成されることが好ましく、前記シャフトは、前記チューブに回転可能に装着されている。前記シャフトは、軸方向に前記チューブから外れるように移動可能であることが好ましく、それにより、支持部をベースフレームから取り外すことができる。
【００１６】
本発明を、添付図に示される好ましい実施形態を用いてさらに説明する。
【発明を実施するための最良の形態】
【００１７】
図によれば、揺り椅子は、ベースフレーム1および支持部、すなわち椅子2を備える。椅子2は、ベースフレーム1内において自由に回転可能である。ベースフレーム1は、その一方側に連結されたチューブ4を有するほぼO字形状の楕円形金属リング3であり、このチューブ4は上向き方向に傾斜し、且つ楕円形リング3の中心軸に向かっている。複数のボール軸受けが、チューブ4の内側で軸方向に延び、それらの軸受けが一緒になって中央の軸方向の管状開口部を示している。床平面部と軸受けの軸との角度αは、71°である。代替の好ましい実施形態では、ベースフレームはY字形状またはV字形状のものでもよく、チューブはこのYまたはVの底部先端上に装着される。
【００１８】
椅子2は、ほぼシェル形状の要素5であり、このほぼシェル形状の要素5は、金属製のほぼ楕円(「O」)形状の縁部6を有し、かつ楕円形縁部の外側端部の一方の近傍で、短寸のほぼ水平の連結バー8を用いて金属縁部6に連結された金属シャフト7を有する。1つの代替の実施形態では、チューブ4は椅子2に装着されてよく、このときシャフト7はベースフレーム1に装着される。椅子2は、例えば、ほぼO字形状の楕円形金属リング6およびそれに取り付けられた可撓性の布5またはハードプラスチック製のシェル5から成ることができる。シャフト7の直径は、チューブ4内の軸受けの中央開口部の直径と等しく、それにより、シャフト7を、遊びを有することなくその中に容易に挿入することができる。シャフト7と楕円形縁部6の平面部との角度は、51°であり、シャフト7は、楕円形縁部6の中心軸から離れるように傾斜されている。椅子2は、さらに、座っている間、乳幼児または子供を所定の位置に保持するための緩衝バー9およびクロッチバー10を備える。
【００１９】
椅子2は、シャフト7をチューブ4内の軸受けの中央開口部に挿入することによってベースフレーム1に装着される。それにより、椅子2の楕円形金属リング6の平面部と床平面部との角度は、椅子2の中立位置で20°になる。
【００２０】
使用時、乳幼児または子供は椅子2に座ることができる。子供および椅子2の重心は椅子2の回転軸よりも下方になるので、椅子2は、押し出されてバランスを失ったとき、前後、横向きに揺れることになる。好ましくは、揺れ動作の横方向の大きさは、例えば、衝撃吸収ストッパによって両側方向に限定され、この衝撃吸収ストッパは例えばゴム製であり、チューブ4の内側に設けられることが好ましい。
【００２１】
ベースフレーム1および椅子縁部6の形状および寸法はほぼ同一であるため、揺り椅子の1、2の両部分は、容易に取り外すことができ、互いに対して平坦に移動することができるため、収納用の小型のほぼ平坦なアセンブリが得られる。
【００２２】
本明細書では、一例として好ましい実施形態によって本発明を説明してきたが、多くの改変および変更が本発明の範囲内で可能であることを当業者は理解するであろう。
【図面の簡単な説明】
【００２３】
【図１】本発明による揺り椅子の斜視図である。
【図２】図1の取り外された揺り椅子の正面図である。
【図３】図1の揺り椅子の側面図である。
【符号の説明】
【００２４】
1    ベースフレーム
2    椅子
3    O字形状の楕円形金属リング
4    チューブ
5    シェル形状の要素
6    金属縁部
7    金属シャフト
8    水平の連結バー
9    緩衝バー
10    クロッチバー
【図１】
0005507068.tif 000002
【図２】
0005507068.tif 000003
【図３】
0005507068.tif 000004